(57)【要約】【課題】  住宅の間仕切壁の前面に、温冷水循環タイプの暖冷房システムを配置して、意匠効果を奏する目隠し壁によって暖冷房システムを隠蔽する。【解決手段】  間仕切壁ＷＡの前面に、温冷水循環型の全プラスチック樹脂製放熱器Ｈｅを、吊下げ形態で配置し、放熱器Ｈｅの下側にドレンパン３Ａを載置した出没自在の架台２３を嵌入すると共に、放熱器Ｈｅの前面には、放熱器Ｈｅからの放射熱を室内に放出すると共に、放熱器Ｈｅへの室内からの空気対流を許容する意匠壁を、床面から天井面に亘って、目隠し壁２４として立設して、放熱器Ｈｅを隠蔽する。【選択図】    図１
2011247500.tif 000002
【特許請求の範囲】
【請求項１】
木造や軽量鉄骨造壁下地、鉄筋コンクリート造の間仕切壁（ＷＡ）前面に、全プラスチック樹脂製放熱器（Ｈｅ）を配置し、放熱器（Ｈｅ）の前面に、目隠し壁（２４）を立設した、温冷水循環暖冷房システムであって、放熱器（Ｈｅ）は、上下主管（２Ａ）間に縦パイプ（２Ｃ）群を並列連通した、第１放熱パネル（１０１）と第２放熱パネル（１０２）とを重層形態で一体化して、一方の放熱パネルの上側主管（２Ａ）からは供給口（２Ｓ）を、他方の放熱パネルの上側主管（２Ａ）からは排出口（２Ｒ）を突設したものであって、放熱器（Ｈｅ）を間仕切壁（ＷＡ）前面で吊下げ形態に保持し、放熱器（Ｈｅ）の下側には、ドレンパン（３Ａ）を載置した架台（２３）を配置し、目隠し壁（２４）は、放熱器（Ｈｅ）の前面を覆って、放熱器（Ｈｅ）からの放射熱を室内に放出すると共に、放熱器（Ｈｅ）への室内側からの空気対流を許容する意匠壁である隠蔽暖冷房システム。
【請求項２】
目隠し壁（２４）は、熱輻射波を吸収放射、若しくは透過する面材を張設し、上部と下部には空気流通用のガラリ（７Ａ）を備え、且つ、放熱器（Ｈｅ）に近接形態で、放熱器（Ｈｅ）の左右に張出して、床面（ＦＬ）から天井面（ＣＬ）に亘って立設している、請求項１に記載の隠蔽暖冷房システム。
【請求項３】
目隠し壁（２４）は、左右の縦枠材（６Ｓ）と上下の横枠材（６Ｐ）から成る骨組（ＦＷ）内の上部と下部とに、まぐさ胴縁（６Ｒ´）と窓台胴縁（６Ｒ）を介して、上方ガラリ（７Ａ）と下方ガラリ（７Ａ）とを配置し、床面（ＦＬ）及び天井面（ＣＬ）に着脱自在に固定した、請求項１又は２に記載の隠蔽暖冷房システム。
【請求項４】
目隠し壁（２４）は、上下ガラリ（７Ａ）間には、紙障子（２４Ｋ）を着脱自在に配置し、紙障子（２４Ｋ）の裏側に間接照明灯（２４Ｅ）を配置した、請求項２に記載の隠蔽暖冷房システム。
【請求項５】
ドレンパン（３Ａ）を載置する架台（２３）は、一側端からドレンパイプ（３Ｂ）嵌入用の切込み長孔（Ｈ２３）を備え、間仕切壁（ＷＡ）前面と目隠し壁（２４）との間で側方への出没が可能である、請求項１又は２に記載の隠蔽暖冷房システム。
【請求項６】
放熱器（Ｈｅ）は、間仕切壁（ＷＡ）内の受桟（６Ｋ）に固定した上下の保持金具（２１）によって、上側主管（２Ａ）を熱伝達抑制形態で支承し、下側主管（２Ａ）を熱伝達抑制形態で前後揺動阻止した、請求項１乃至５のいずれか１項に記載の隠蔽暖冷房システム。
【請求項７】
間仕切壁（ＷＡ）の前面の放熱器（Ｈｅ）配置部位では輻射熱反射層（８Ｄ）を備え、天井配管のサプライ管（Ｓ）及びリターン管（Ｒ）と、放熱器（Ｈｅ）の供給管（２Ｓ）及び排出管（２Ｒ）とを接続した接続金具（２Ｎ）は保温材（ＮＣ）で被覆し、ドレンパン（３Ａ）はプラスチック樹脂製である、請求項１乃至６のいずれか１項に記載の隠蔽暖冷房システム。
【発明の詳細な説明】
【技術分野】
【０００１】
本発明は、建物の間仕切壁前面に放熱器を隠蔽配置した暖冷房システムに関するものであり、より詳しくは、木造や軽量鉄骨壁下地、鉄筋コンクリート造の間仕切壁前面に全プラスチック樹脂性放熱器を吊下配置し、放熱器前面に、放熱機能と意匠効果とを兼備した目隠し壁を配置して放熱器を隠蔽し、放熱器に、温水循環による室内暖房と、冷水循環による室内冷房を可能とした、暖冷房システムに関するものである。
【背景技術】
【０００２】
従来、居室内の暖房手段として、壁面に放熱体を配置する手法は、各種提案、実施されている。
図７は、従来例１であり、特許文献１として挙げた本願出願人の提案にかかる隠蔽温水暖房システムの説明図である。
即ち、図７（従来例１）の隠蔽温水暖房システムは、軽量鉄骨間仕切壁を構成するスタッド間に、アルミ板と、嵌合溝を穿設した断熱材とを積層一体化した放熱パネルを配置するもので、可撓性のプラスチック樹脂性の温水パイプを、アルミ板面に当接形態で、断熱材の嵌合溝内に屈曲延展配置して、天井配置の、往き管を温水パイプの一端に、戻り管を温水パイプの他端に接続し、間仕切壁のアルミ板面の温水加熱によって居室内を暖房するものである。
【０００３】
また、図８は、従来例２であって特許文献２として挙げたビルトインタイプ温水暖房システムである。
即ち、図８（従来例２）は、出窓の窓下コンクリート壁面に凹所を形成して、凹所壁面の前面に、断熱材を介してスペーサーを配置し、スペーサー内には、前面側に輻射板を有し背面側にフィンを有するパネルタイプの放熱器を配置し、且つ放熱器下方には、冷風導入用の斜板を配置し、温水パイプで放熱器に熱供給するものである。
【０００４】
また、従来例３として挙げた図９は、特許文献３として開示した本願出願人の提案に係る放熱器であって、壁内隠蔽は出来ないものであるが、全プラスチック樹脂製放熱部を備えたものである。
即ち、図９に示す放熱器は、プラスチック樹脂製の縦パイプ群を、上下の大径緯パイプで連通した２枚の放熱パネルを、重層形態で一体化して放熱部とし、該放熱部の上下、左右の四周に、上枠、側枠、下枠、上接合具及び下接合具で枠組みを付加して、熱効率及びデザイン性に優れた居室内配置タイプの放熱器である。
【先行技術文献】
【特許文献】
【０００５】
【特許文献１】特開２００６−１７０５３２号公報
【特許文献２】特開平１１−１０８３７９号公報
【特許文献３】特開２００９−２２２２９７号公報
【発明の概要】
【発明が解決しようとする課題】
【０００６】
従来例１（図７）の隠蔽温水暖房システムは、間仕切壁内に収納出来、壁のアルミ板面からの放熱暖房が実施出来るが、放熱パネルは、両側の軽量鉄骨間仕切のスタッド（間柱）間（標準：４５５mm）を２ヵ所使用し、可撓性のプラスチック樹脂パイプを上下屈曲延展配置するもので、プラスチック樹脂パイプのフープストレスでの曲げ半径の限界の制約を受けるため、パイプ間隔は狭く出来ず、開示の８本配置が限度であり、放熱量が少ない。
そして、放熱量の増大を図って放熱パネル面を左右に増加すれば、家具配置の制約が大となる。
また、壁面からの前面への突出が無くて、居室スペース占有は避けられるが、露見する外観は、インテリアデザイン面からの違和感を呈して美感を損なう。
【０００７】
また、放熱パネルと壁仕上材とが面当接しているので、放熱パネルは、熱伝導により、軽量鉄骨間仕切及び壁仕上材に熱分散してからの輻射熱伝達となるため、熱効率が悪い。
また、温水パイプ内に冷房用の冷水を循環させれば、温水パイプの結露水は、断熱材及び壁仕上材に吸着し、放熱パネルを収納する間仕切内には、ダニ、カビの発生を来たす。
そして、放熱パネルを収納する間仕切内は、放熱パネルによって上下分断しているため、間仕切内は、ガラリによる室内空気の流入、流出効果が少なく、結露水を吸着した壁仕上材の乾燥効果が期待出来ない。
従って、従来例１（図７）の隠蔽型温水暖房システムでは、結露の発生を伴なう冷房運転は実施出来ない。
【０００８】
また、従来例２（図８）の温水暖房システムにあっては、放熱器がフィンを有するパネル式であるため、通常の金属製放熱パネルの配管同様に、金属製放熱器の温水に含まれる酸素による腐蝕を抑えるために、温水パイプには酸素を透過させない高価な樹脂管、又は銅管を使用する必要があり、温水ボイラーにも、酸素の混入を防ぐ高価な密閉式の採用が必要となり、コスト面、管理面上の問題がある。
しかも、ビルトイン配置のため、出窓床面の前部のスペースが必要であって、適用居室が制約され、放熱器を隠蔽するために、建物を構成する暖房装置以外の、躯体、外装、断熱等の面でのコストも発生する。
その上、出窓の下半への配置であるため、インテリアデザイン面からの美観向上は期待出来ない。
【０００９】
また、従来例３（図９）の放熱器は、放熱パネル自体は、全プラスチック樹脂製で、輻射熱放熱に優れたものであるが、居室内配置用に開発されたものであり、該放熱器は、居室内での隠蔽使用に不適当なものである。
本発明は、これら従来例の問題点を、一挙に解決、又は改善するものであって、放熱器を間仕切壁前面に取付けて、放熱器前面を目隠し壁で隠蔽し、結露対策をも備えた、且つ熱効率の極めて高い、暖房にも冷房にも適した暖冷房システムであって、従来の隠蔽型暖房システムを一新する新規で、室内意匠効果も期待出来る、実用性に富んだ暖冷房システムを提供するものである。
【課題を解決するための手段】
【００１０】
本発明の隠蔽暖冷房システムは、例えば図１に示す如く、木造や軽量鉄骨壁下地、鉄筋コンクリート造の間仕切壁ＷＡ前面に、全プラスチック樹脂製放熱器Ｈｅを配置し、放熱器Ｈｅの前面に、目隠し壁２４を立設した、温冷水循環暖冷房システムであって、放熱器Ｈｅは、上下主管２Ａ間に縦パイプ２Ｃ群を並列連通した、第１放熱パネル１０１と第２放熱パネル１０２とを重層形態で一体化して、一方の放熱パネルの上側主管２Ａからは供給口２Ｓを、他方の放熱パネルの上側主管２Ａからは排出口２Ｒを突設したものであって、放熱器Ｈｅを間仕切壁ＷＡ前面で吊下げ形態に保持し、放熱器Ｈｅの下側には、ドレンパン３Ａを載置した架台２３を配置し、目隠し壁２４は、放熱器Ｈｅの前面を覆って、放熱器Ｈｅからの放射熱を室内に放出すると共に、放熱器Ｈｅへの室内側からの空気対流を許容する意匠壁としたものである。
【００１１】
この場合、目隠し壁２４は、室内側から暖冷房システムを完全に隠蔽し、且つ放熱器Ｈｅへの室内からの空気の流出入を許容するものであり、典型的には、放熱器Ｈｅの上部と下部との対向部位に、空気流出入用のガラリ７Ａを備え、ガラリ７Ａ以外の前面は、放熱器Ｈｅからの熱線の吸収放射性に優れ、且つ意匠性に富む内装材等の面材を張設したものであり、床面ＦＬから天井面ＣＬに亘って目隠し機能を奏する独立付設壁である。
【００１２】
また、放熱器Ｈｅは、熱線放射率の高いプラスチックパイプ製であれば良く、典型的には、ポリプロピレン、ランダム、コポリマー樹脂（ＰＰ−Ｒ樹脂）製で上下高さｈ１が２０００mm、左右長さＬ１が３６０mmである。
そして、放熱器Ｈｅの取付配置は、放熱部を構成する縦パイプ２Ｃ群は、細くて長いため熱伸縮を生じ、且つ剛体でないため、吊下げ保持するものであり、天井面からの吊下げでも可能であるが、典型的には、間仕切壁ＷＡの前面に取付けた保持金具２１によって、放熱器Ｈｅの上側主管２Ａを吊下げ保持する。
【００１３】
また、放熱器Ｈｅの構成プラスチックパイプの表面に生ずる結露水のドレン手段が必要であるが、放熱器Ｈｅの下側にドレンパン３Ａを、メンテナンスが容易なように配置すれば良く、架台２３は、慣用の排水パイプと接続したドレンパン３Ａを安定保持するものであり、架台２３は、典型的には、図４（Ａ）に示す如く、一側縁からドレンパイプ３Ｂ嵌入用の長孔Ｈ２３を切込んだ上板２３Ｔでドレンパン３Ａを載置するものである。
また、架台２３上に載置するドレンパン３Ａは、放熱器Ｈｅからの結露水を漏れなく処理出来、架台２３上に簡便に配置出来れば良く、典型的には、図３（Ｄ）に示す如く、幅Ｗ３及び長さＬ３が、放熱器Ｈｅの幅Ｗ１及び長さＬ１をカバーする寸法で、一側縁近傍にドレンパイプ３Ｂを下方突出したプラスチック製品である。
【００１４】
従って、本発明の隠蔽暖冷房システムは、天井配管のサプライ管Ｓ及びリターン管Ｒを介して、暖房時には温水（標準：６０℃）を、冷房時には冷水（標準：７℃）を放熱パネル１０１，１０２に循環させることにより、プラスチック縦パイプ群による高い熱線放射率（標準：０．９５）によって、前面の目隠し壁２４の高い熱線吸収放射率（標準：０．８５）での、室内への輻射熱作用を発揮し、同時に、目隠し壁２４からの放熱器Ｈｅ部位への自然空気対流による対流熱作用も奏し、輻射熱作用を主とし（７０％強）、対流熱作用を従とする（３０％弱）、人体に優しい暖冷房を熱効率良く発揮する。
【００１５】
そして、目隠し壁２４によって、室内側から露見しない暖冷房システムからの、輻射熱と自然対流熱による静かな暖冷房であるため、視聴覚面からも、肌感覚面からも、人体に優しい、且つ、老人、子供にも何ら心配の無い、暖冷房を提供する。
しかも、目隠し壁２４の壁面材意匠の選択によって、需要者の好みの美的雰囲気での暖冷房を提供し、従来の隠蔽暖冷房システムからは予想すら出来ない、斬新なインテリアデザイン効果を備えた暖冷房システムを提供する。
【００１６】
また、放熱器Ｈｅを構成する２枚の放熱パネル１０１，１０２は、高効率の暖冷房作用を供すると同時に、プラスチックパイプ特有の熱伸縮も派生するが、放熱器Ｈｅは吊下げ形態支承であるため、熱伸縮歪は好適に吸収出来、放熱器Ｈｅを間仕切壁ＷＡの前面に、即ち天井面ＣＬから床面ＦＬに亘るスペースに配置することと相俟って、放熱パネルの縦パイプ２Ｃ群の長尺化による放熱量の増大化が可能となり、本発明暖冷房システムは、壁面の上下スペースを有効に利用した高性能暖冷房を提供する。
そして、冷房作用時に、特に問題となる結露水の発生も、ドレン手段により好適に対処出来、間仕切壁ＷＡ前面と目隠し壁２４後面の結露湿気による湿潤も、室内からの目隠し壁２４を介した空気の自然対流によって抑制出来、カビやダニの発生は抑制出来、衛生的にも優れた暖冷房システムを提供する。
【００１７】
また、本発明の隠蔽暖冷房システムにあっては、目隠し壁２４は、熱輻射波を吸収放射、若しくは透過する面材を張設し、上部と下部には空気流通用のガラリ７Ａを備え、且つ、放熱器Ｈｅに近接形態で、放熱器Ｈｅの左右に張出して、床面ＦＬから天井面ＣＬに亘って立設するのが好ましい。
【００１８】
この場合、熱輻射波を吸収放射する面材は、石膏ボード、ビニールクロス、紙等、吸収放射率が０．８以上の面材が好ましく、ビニールクロス被覆石膏ボードは、熱輻射波の吸収放射率が０．８５であるので好ましい。
また、目隠し壁２４の近接配置の意は、放熱器Ｈｅとの間に空気対流を許容する間隔を保った意であり、典型的には、図２に示す如く、間仕切壁ＷＡの前面の内装材８Ａから前方へ厚さ１２０mm（ｄ２１）の空間内の中央に前後厚さ５８．５mm（Ｗ１）の放熱器Ｈｅを、前面と後面とに空気流通間隔を保って配置し、厚さ１２０mmの、放熱器Ｈｅ用の配置空間の前面を規定する形態に、厚さ（Ｗ２４）が３６mmの目隠し壁２４を立設する。
【００１９】
また、目隠し壁２４の放熱器Ｈｅからの左右張出し寸法は、通常の日常生活での目線では、放熱器Ｈｅが露見しない張出し寸法であって、図１に示す典型例にあっては、放熱器Ｈｅの左右幅３６０mm（Ｌ１）に対し、目隠し壁２４の左右幅が６００mm（Ｌ２４）であって、目隠し壁２４は、間仕切壁ＷＡ前面から１２０mm前方寸法で、正面視で、左右共、放熱器Ｈｅの側端から１２０mm張出したものである。
また、上方のガラリ７Ａと下方のガラリ７Ａとは、図２に示す如く、上方ガラリ７Ａの羽根７Ｂが下方への傾斜突出であり、下方ガラリ７Ａの羽根７Ｂが、上方への傾斜突出とすれば、暖房時の空気流ａｒ１も冷房時の空気流ａｒ２も、スムーズな循環対流となる。
【００２０】
従って、目隠し壁２４は、室内側から見れば、間仕切壁ＷＡの前面から、放熱器Ｈｅ配置域の前後空間寸法（標準：１２０mm）だけ前面に突出した、床面から天井面に亘る安定感のある独立壁形態を呈し、暖冷房システムを、室内からの目線からは隠蔽しながら、放熱器Ｈｅからの熱輻射波を室内に放出して室内の輻射熱加熱を可能とし、且つ、隠蔽放熱器Ｈｅ配置部位への、室内からの空気の、スムーズな自然循環対流をも可能とするため、隠蔽タイプでの高機能暖冷房システムの提供を可能とし、目隠し壁２４に張設した面材の意匠性と相俟って、従来の、隠蔽暖冷房システムとは全く異質で、機能美に富む、斬新なデザイン性を備えた隠蔽暖冷房システムを提供する。
【００２１】
また、目隠し壁２４は、図３に示す如く、左右の縦枠材６Ｓと上下の横枠材６Ｐから成る骨組ＦＷ内の上部と下部とに、まぐさ胴縁６Ｒ´と窓台胴縁６Ｒを介して上方ガラリ７Ａと下方ガラリ７Ａとを配置し、床面ＦＬ及び天井面ＣＬに着脱自在に固定するのが好ましい。
この場合、目隠し壁２４の、天井面ＣＬ及び床面ＦＬへの着脱自在の固定は、それ自体慣用の建具である、アングル取付金具を適用すれば良い。
【００２２】
従って、骨組ＦＷ（フレームワーク）には、放熱器Ｈｅの上部と下部との対応位置にガラリ７Ａを配置して、放熱器Ｈｅへの空気の自然対流循環機能を保証した上での、需要者の好みに応じた面材の選択張着となるため、熱輻射波吸収放射用面材を自在に張り替えても、目隠し壁２４の空気の自然対流循環機能は一定に維持出来、骨組ＦＷ、即ち目隠し壁２４が着脱可能であるため、目隠し壁２４の施工が容易であると共に、目隠し壁２４の需要者の要望に応えるデザイン変更も、放熱器Ｈｅの耐用中のメンテナンスも容易となる。
【００２３】
また、目隠し壁２４は、例えば、図３（Ｃ）に示す如く、上下ガラリ７Ａ間には、紙障子２４Ｋを着脱自在に配置し、紙障子２４Ｋの裏側に間接照明灯２４Ｅを配置するのが好ましい。
この場合、紙障子２４Ｋの配置は、骨組ＦＷの上下ガラリ７Ａのスペースに、障子用の枠２４ｂを嵌入止着すれば、紙障子２４Ｋは着脱自在に配置出来る。
従って、熱輻射波の吸収放射用面材として紙障子２４Ｋを採用すれば、隠蔽暖冷房システムの目隠し壁２４としての機能と共に、斬新且つ幻想的な装飾壁効果も期待出来る。
【００２４】
また、本発明の隠蔽暖冷房システムにあっては、ドレンパン３Ａを載置する架台２３は、図４（Ａ）に示す如く、一側端からドレンパイプ３Ｂ嵌入用の切込み長孔Ｈ２３を備え、間仕切壁ＷＡ前面と目隠し壁２４との間で側方への出没が可能であるのが好ましい。
この場合、目隠し壁２４の下部内面には、図２に示す如く、構造用合板８Ａ´を架台２３の摺動案内用に配置するのが好ましい。
従って、架台２３は、ドレンパン３Ａから下方に突出したドレンパイプ３Ｂを、慣用の排水パイプ３Ｃと接続した後、放熱器Ｈｅの開放側面の下側からドレンパン３Ａの下面に摺動配置出来、ドレン手段の配置及びメンテナンスが簡便となる。
【００２５】
また、放熱器Ｈｅは、図２に示す如く、間仕切壁ＷＡ内の受桟６Ｋに固定した上下の保持金具２１によって、上側主管２Ａを熱伝達抑制形態で支承し、下側主管２Ａを熱伝達抑制形態で前後揺動阻止するのが好ましい。
この場合、図６に示す如く、保持金具２１は、第１放熱パネル主管２Ａと、第２放熱パネル主管２Ａとに当接する曲面当接片２１Ｒの当接面に断熱シート２１Ｍを貼着しておけば、保持金具２１の曲面当接片２１Ｒへの主管２Ａからの熱伝達が抑制出来る。
【００２６】
そして、同一形態の保持金具２１を、曲面当接片２１Ｒを上向き開放形態で上側主管２Ａの下側に配置すれば、主管２Ａが支承出来、曲面当接片２１Ｒを下向き開放形態で下側主管２Ａの上側に配置すれば、下側主管２Ａの前後揺動が阻止出来る。
従って、本発明の保持金具２１で放熱器Ｈｅの放熱パネル１０１，１０２を保持することにより、特に、冷房作用時での保持金具２１の冷却作用に起因する結露は阻止出来、冷房作用時の放熱器Ｈｅ、特に、縦パイプ２Ｃ群に発現する結露水は、下側のドレンパン３Ａで確実に排除出来、保持金具２１の当接する間仕切壁ＷＡの前面の結露が抑制出来るため、目隠し壁２４で覆われた放熱器Ｈｅ配置域では、目隠し壁２４のガラリ７Ａを介した空気の自然対流循環と相俟って、結露による湿潤作用が抑制出来、カビ、ダニの発生が抑制出来る。
【００２７】
また、間仕切壁ＷＡの前面の放熱器Ｈｅ配置部位では、図１に示す如く、輻射熱反射層８Ｄを備え、天井配管のサプライ管Ｓ及びリターン管Ｒと、放熱器Ｈｅの供給管２Ｓ及び排出管２Ｒとを接続した接続金具２Ｎは保温材ＮＣで被覆し、ドレンパン３Ａはプラスチック樹脂製であるのが好ましい。
【００２８】
この場合、プラスチック樹脂製ドレンパン３Ａは、熱伝導率が低いため、下側主管２Ａの近傍配置としても結露が無く、暖冷房システムのコンパクト化が可能となる。
また、放熱器Ｈｅの上方の接続金具２Ｎも保温材ＮＣで結露が抑制出来、放熱器Ｈｅの配置域での、結露による湿潤化、及びカビ、ダニの発生が阻止出来る。
従って、隠蔽冷房システムの最大課題である、放熱器配置域での結露対策の万全な暖冷房システムとなる。
【発明の効果】
【００２９】
本発明の隠蔽暖冷房システムにあっては、放熱器Ｈｅは、熱線放射率の高いプラスチックパイプ製の放熱パネルを２枚重層形態で一体化したため、高い輻射熱作用による高性能暖冷房作用が可能であることと、放熱器Ｈｅは吊下げ形態で保持するために、放熱パネルの縦パイプ２Ｃ群の熱伸縮歪による支障が生じないことと、放熱器Ｈｅが間仕切壁ＷＡの前面のスペースへの配置となるために放熱パネルの発熱面を構成する縦パイプ２Ｃ群は上下長尺化が可能となることとが相俟って、横幅の増大を抑えた、縦長の高性能な熱輻射暖冷房放熱器Ｈｅと出来る。
そのため、目隠し壁２４による放熱器Ｈｅの隠蔽は容易となる。
【００３０】
そして、目隠し壁２４は、放熱器Ｈｅからの放射熱を室内に高効率で放射（標準放射率：０．８５）し、且つ放熱器Ｈｅへの室内からの空気の自然対流循環を許容するため、暖冷房作用は、輻射熱作用を主とし（７０％強）、自然対流熱作用を従とする（３０％弱）、居住者にも優しい、穏やかな暖冷房作用を提供する。
そして、目隠し壁２４によって室内側から露見しない放熱器Ｈｅは、輻射熱と自然対流熱とによる静かな暖冷房作用であり、目隠し壁２４が需要者の好みの意匠効果を発揮するため、暖冷房システムは、視聴覚面からも、肌感覚面からも快適で、老人、子供にも何ら心配の無い、人間に優しい暖冷房を提供する。
【００３１】
しかも、冷房作用時に、特に問題となる結露の発生は、放熱器Ｈｅの下側にドレン手段を配置したために、放熱器Ｈｅの結露水は排水出来、放熱器Ｈｅの配置域には、目隠し壁２４を介した空気の自然循環対流が生じているため、放熱器Ｈｅ配置域、即ち、間仕切壁ＷＡ前面から目隠し壁２４裏面に亘る区域での、湿潤作用によるカビ、ダニの発生は抑制出来る。
従って、本発明の隠蔽暖冷房システムは、斬新で画期的なインテリアデザイン性を備え、衛生的で、人体に優しい、高性能暖冷房システムを提供する。
【図面の簡単な説明】
【００３２】
【図１】本発明の実施例図であって、（Ａ）は横断面図、（Ｂ）は部分正面図、（Ｃ）は縦断側面図である。
【図２】本発明実施例の拡大縦断面図である。
【図３】目隠し壁の説明図であって、（Ａ）は骨組ＦＷの部分斜視図、（Ｂ）は目隠し壁の縦断側面図、（Ｃ）は目隠し壁の変形例の縦断側面図である。
【図４】ドレン手段の説明図であって、（Ａ）は架台の斜視図、（Ｂ）は架台にドレンパンを載置した状態の正面図、（Ｃ）は架台にドレンパンを載置した状態の側面図、（Ｄ）はドレンパンの斜視図である。
【図５】放熱器Ｈｅの説明図であって、（Ａ）は左側面図、（Ｂ）は第１放熱パネル側からの正面図、（Ｃ）は右側面図、（Ｄ）は第２放熱パネル側からの正面図である。
【図６】放熱器の保持手段説明図であって、（Ａ）は保持金具２１の全体斜視図、（Ｂ）は上側主管保持状態の縦断面図、（Ｃ）は下側主管の揺動阻止状態縦断面図である。
【図７】従来例１の説明図であって、（Ａ）は正面図、（Ｂ）は縦断側面図、（Ｃ）は横断面図である。
【図８】従来例２の説明図であって、（Ａ）は正面図、（Ｂ）は縦断側面図である。
【図９】従来例３の説明図であって、（Ａ）は全体斜視図、（Ｂ）は放熱部の部分拡大正面図、（Ｃ）は放熱部の斜視図である。
【発明を実施するための形態】
【００３３】
〔放熱器Ｈｅ（図５）〕
図５は、放熱器Ｈｅの説明図であって、（Ａ）は左側面図、（Ｂ）は第１放熱パネル１０１面から見た正面図、（Ｃ）は右側面図、（Ｄ）は第２放熱パネル１０２面から見た正面図である。
放熱器Ｈｅは、床面ＦＬから天井面ＣＬまでの寸法Ｃｈが２４００mmの間仕切壁ＷＡの前面に吊下げ形態で配置するものとして準備する。
【００３４】
放熱器Ｈｅの全体形状は、図５に示す如く、高さ（上下長さ）ｈ１が２０００mm、幅（左右長さ）Ｌ１が３６０mm、前後厚さＷ１が５８．５mmで、上側主管２Ａと下側主管２Ａとの間に、多数の細い縦パイプ２Ｃ群を差渡し状に連通した、使用全パイプがプラスチック樹脂パイプから成る第１放熱パネル１０１と、第１放熱パネルと同一構造の第２放熱パネル１０２とを、前後に、第１放熱パネル１０１の主管２Ａと第２放熱パネル１０２の主管２Ａとを対向間隔ｇｓ（４．５mm）を保って、一体化したものである。
【００３５】
放熱器Ｈｅの製作は、ヘッダー１として、ポリプロピレン、ランダム、コポリマー樹脂（ＰＰ−Ｒ樹脂）を用いて、外径ｄＡが２７mm、肉厚５mm、長さＬ１が３６０mmの主管２Ａに、主管２Ａと直交する外径１７mm、肉厚２mm、長さ３０mmの継手枝管２Ｂ群を、中心間距離２０mm、間隔３mmで突出した形態に射出成形で準備し、縦パイプ２ＣとしてＰＰ−Ｒ樹脂の押出成形で、外径（ｄＣ）１３mm、肉厚１．６mmの縦パイプ材を成形して定寸に切断準備する。
そして、各縦パイプ２Ｃ群を、上側ヘッダー１の継手枝管２Ｂと下側ヘッダー１の継手枝管２Ｂに融着接合して、上側ヘッダー１の主管２Ａ上端面から下側ヘッダー１の主管２Ａの下端面までの寸法ｈ１、即ち放熱器Ｈｅの高さｈ１が２０００mmの、同一構造の第１放熱パネル１０１及び第２放熱パネル１０２を準備する。
【００３６】
また、放熱パネルには、図５（Ｂ）に示す如く、上側主管２Ａの左右端、下側主管２Ａの左右端には閉止板２Ｆを配置し、上側主管２Ａには一端から上方へ、縦パイプ２Ｃ材を切断したパイプ片を供給排出口２Ｓ又は２Ｒとして連通突出し、上側主管２Ａの他端では、左端の縦パイプ２Ｃと左から２番目の縦パイプ２Ｃの連通を遮断する閉止板２Ｐを配置する。
そして、２枚の放熱パネルを、供給排出口２Ｓ（２Ｒ）を同一位置に重ねて、上下の主管２Ａ相互の間隔ｇｓ（４．５mm）を保って、２枚の放熱パネルを、供給排出口２Ｓ，２Ｒの反対側の上側主管２Ａ間のみを連通パイプ２Ｄで連結し、他の３隅の主管２Ａ間はスペーサーパイプ２Ｅで接続すれば、２枚重ねで、第１放熱パネル１０１の冷温水供給口２Ｓと第２放熱パネル１０２の冷温水排出口２Ｓとが同一位置で前後関係を保つ放熱器Ｈｅが得られる。
【００３７】
得られた放熱器Ｈｅは、図５に示す如く、各縦パイプ２Ｃ間の隙間の間隔は７mmで、第１放熱パネル１０１と第２放熱パネル１０２との、縦パイプ２Ｃ群間の対向間隔ｇｐが１８．５mm、高さｈ１が２０００mm、幅Ｗ１が５８．５mmの全プラスチック樹脂製放熱器Ｈｅとなる。
そして、ＰＰ−Ｒ樹脂製の縦パイプ２Ｃ群は、人体に良いとされる８μm〜１４μmの波長の輻射波を高い放射率（平均：０．９５）で放射するため、高性能輻射熱放熱器となる。
【００３８】
そして、第１放熱パネル１０１の、一端の供給口２Ｓから下降流ｆ１を注入すれば、第１放熱パネル上側主管２Ａ内横流ｆ２→縦パイプ下降流ｆ３→下側主管２Ａ内横流ｆ４→他端縦パイプ上昇流ｆ５→第１放熱パネル１０１から第２放熱パネル１０２への連通パイプ２Ｄ内連通流ｆ６→第２放熱パネル１０２の他端縦パイプ２Ｃ内の下降流ｆ７→下側主管２Ａ内横流ｆ８→縦パイプ２Ｃ内の上昇流ｆ９→上側主管２Ａ内横流ｆ１０→一端の排出口２Ｒからの上昇流ｆ１１、の経路で、第１放熱パネル１０１の供給口２Ｓから、２枚のパネル縦パイプ２Ｃ群を全て通過して第２放熱パネル１０２の排出口２Ｒに流出するものとなり、各縦パイプ２Ｃ群によって、第１放熱パネル及び第２放熱パネルから、面均斉な放熱作用を奏する放熱器Ｈｅとなる。
【００３９】
〔目隠し壁用骨組ＦＷ（図３）〕
図３（Ａ）は骨組ＦＷの斜視図であり、図３（Ｂ）は骨組ＦＷで形成した目隠し壁２４の縦断側面図であり、図３（Ｃ）は、目隠し壁２４の変形例の縦断側面図である。
目隠し壁２４は、予め準備した木製の骨組ＦＷを床面から天井面に亘って立設固定し、骨組ＦＷに、ガラリ７Ａ、及び目隠し用の面材を配置するものであり、全体形状は、左右の幅Ｌ２４が６００mm、高さｈ２４が天井高さ（標準：２４００mm）より２０mm低く（標準：２３８０mm）、厚さＷ２４が３６mmである。
【００４０】
骨組ＦＷは、図３（Ａ）に示す如く、上端と下端とに、厚さ２４mm、幅３６mm、長さ６００mmの横枠材６Ｐを備え、上下横枠材６Ｐ間の両端に、一辺が３６mmで断面正方形の縦枠材６Ｓを一体化配置して外枠とし、外枠内の上部及び下部の、放熱器Ｈｅの上部及び下部に対応する部位には、下側の窓台胴縁６Ｒ及び上側のまぐさ胴縁６Ｒ´を縦枠材６Ｓ間に差渡して、上下２ヵ所にガラリ７Ａ嵌合域を形成する。
そして、左右縦枠材６Ｓ間の適所に、補強横桟６Ｐ´を配置し、各横枠材６Ｐと補強横桟６Ｐ´間の幅中央部にも、補強縦桟６Ｓ´を一体化固定して、目隠し壁２４用の剛構造骨組ＦＷを準備する。
【００４１】
〔ドレン手段（図２、図４）〕
ドレン手段は、図２の使用例に示す如く、放熱器Ｈｅの下側に配置するドレンパン３Ａと、ドレンパン３Ａを載置する架台２３とから成り、図４（Ａ）は架台２３の全体斜視図、図４（Ｂ）は架台２３上に、ドレンパン３Ａを載置した状態の正面図、図４（Ｃ）は架台２３上にドレンパン３Ａを載置した状態の側面図、図４（Ｄ）はドレンパン３Ａの全体斜視図である。
【００４２】
架台２３は、図４（Ａ）に示す如く、幅Ｗ２３が１１８mm、長さＬ２３が３３５mm、厚さ３０mmの木製上板２３Ｔの長手方向両端には、幅１１８mmの脚板２３Ｐを固定して、高さｈ２３が１２０mmとし、上板２３Ｔの一側の幅中央部から、ドレンパイプ３Ｂ嵌入用の長孔Ｈ２３を、脚板２３Ｐ及び上板２３Ｔに亘って切込み、両側の脚板２３Ｐ間には補強桟２３Ｄを前後２本配置したものである。
【００４３】
また、ドレンパン３Ａは、プラスチック成形品であって、図４（Ｄ）に示す如く、四周の斜辺３Ｓと底辺３Ｄとを備えた方形皿形態であり、長さＬ３が３７０mm、幅Ｗ３が６０mmで、放熱器Ｈｅ（長さＬ１：３６０mm、幅Ｗ１：５８．５mm）の下端部全体をカバーする皿である。
そして、底辺３Ｄの幅中央で長さ方向一側部位に、ドレンパイプ３Ｂを排水用に下方へ突出したものである。
【００４４】
〔保持金具２１（図６）〕
図６（Ａ）は保持金具２１の全体斜視図であり、図６（Ｂ）は放熱器Ｈｅの上部保持状態の縦断側面図であり、図６（Ｃ）は、放熱器Ｈｅの下部に、前後揺動阻止形態で使用している縦断側面図である。
即ち、保持金具２１は、上向きに使用すれば、放熱パネルの２本の上側主管２Ａが支承保持出来、下向きに使用すれば放熱パネルの２本の下側主管２Ａを前後揺動阻止出来るものである。
【００４５】
図６（Ａ）に示す如く、保持金具２１は、プラスチック製の一般肉厚３mmで、上部に取付用の上下長孔Ｈ２１を備えた、幅Ｗ２１が２０mm、高さｈ２１が５０mmの垂直辺２１Ｆと、垂直辺下端から直交突出して先端を曲面当接片２１Ｒとした突出長Ｌ２１が８８．５mmの下辺２１Ｃと、垂直辺２１Ｆと下辺２１Ｃとを一側端で一体化した垂直側辺２１Ｓとを備え、下辺２１Ｃ上には、放熱パネルの、２本の主管２Ａと嵌合する、半円弧形態の曲面当接片２１Ｒの２個を備え、曲面当接片２１Ｒの内周面には厚さ３mmの断熱シート２１Ｍを積層貼着したものである。
【００４６】
〔隠蔽暖冷房システムの構築〕
図５に示す放熱器Ｈｅの配置は、間仕切壁ＷＡの前面の内装材８Ａの表面に、天井面ＣＬから床面ＦＬに亘って、輻射熱反射層８Ｄとしてのアルミ箔を、放熱器Ｈｅの全幅Ｌ１（３６０mm）をカバーする形態に貼着して、アルミ箔８Ｄの両側端は、上端から下端まで、アルミ製の見切８Ｍで押える。
【００４７】
そして、図１（Ａ）に示す如く、放熱器Ｈｅの両側端で、図６（Ｂ）の如く、上側主管２Ａを保持金具２１の曲面当接片２１Ｒが嵌合支承して、且つ放熱器Ｈｅの上下位置合せの下に、保持金具２１を上下調整用の長孔Ｈ２１を介して、予め間仕切壁ＷＡに配置した上側受桟６ＫにねじＳ２１で固定して、放熱器Ｈｅの両側端を保持金具２１で吊下げ保持し、放熱器Ｈｅの下端の両側端では、図６（Ｃ）に示す如く、保持金具２１を下向きとして、各曲面当接片２１Ｒを下側主管２Ａの上側に嵌合して、ねじＳ２１によって、間仕切壁ＷＡ内の下側受桟６Ｋに固定する。
従って、上下の２個の保持金具２１で、上側主管２Ａの両端を支承し、下側主管２Ａの両端を上側から当接することにより、放熱器Ｈｅは、上側の保持金具２１で吊下げ形態で保持し、且つ、下側の保持金具２１で下端が前後揺動阻止される。
【００４８】
そして、図２に示す如く、天井内の配管のサプライ管Ｓ及びリターン管Ｒを天井材１０の貫通孔Ｈ１０から引出して、放熱器Ｈｅの供給口２Ｓ及び排出口２Ｒと接続金具２Ｎで連通し、接続金具２Ｎの外周を慣用の保温材ＮＣで被覆すれば、放熱器Ｈｅは、保持金具２１により間仕切壁ＷＡの前面壁面、即ちアルミ箔８Ｄ層から前面へ、寸法ｄ２１（標準：１２０mm）の配置域内での、間仕切壁ＷＡの前面に沿った吊下げ保持となる。
【００４９】
次いで、目隠し壁２４の配置は、図３（Ｂ）に示す如く、骨組ＦＷの上端横桟６Ｐの上面には必要厚さ（標準：２０mm）の楔形パッキン材ＰＫを、適宜位置に貼着し、下側窓台胴縁６Ｒと下端横枠材６Ｐとに亘る内表面側に、構造用合板８Ａ´を張設して、架台２３の出入時の摺動面を形成した後、間仕切壁ＷＡ前から、放熱器Ｈｅの配置域ｄ２１（１２０mm）を保った位置で、図２に示す如く、下端横枠材６Ｐを、上面からのくぎｎ２１で根太６Ｅに固定すると共に、上端横枠材６Ｐを、下面からのくぎｎ２１によってパッキン材ＰＫを介して天井の野縁６Ｔに固定する。
【００５０】
そして、図２に示す如く、高さｈ７（標準：７０mm）の慣用のガラリ７Ａを、上側のまぐさ胴縁６Ｒ´と窓台胴縁６Ｒ間、及び下側のまぐさ胴縁６Ｒ´と窓台胴縁６Ｒ間に嵌入して、上方ガラリ７Ａは羽根７Ｂが下方傾斜したタイプを、下方ガラリ７Ａは羽根７Ｂが上方傾斜突出したタイプを、ねじＳ７でまぐさ胴縁６Ｒ´及び窓台胴縁６Ｒに固定し、図１（Ａ）に示す如く、骨組ＦＷの両側縦枠材６Ｓの前面及び後面も内装材８Ａを張着し、両側縦枠材６Ｓの外面には縦縁２４Ｆで装飾仕上げする。
【００５１】
次いで、慣用の排水パイプ３Ｃにドレンパイプ３Ｂを挿入接続した後、ドレンパン３Ａを放熱器Ｈｅの下面位置に保持して、架台２３を、上板２３Ｔの前面が目隠し壁２４の下部内面の構造用合板８Ａ´と摺動する形態で、側方からドレンパン３Ａ下面に挿入し、上板２３Ｔの切込み長孔Ｈ２３にドレンパイプ３Ｂを挿入した後、図４（Ｂ），（Ｃ）に示す如く、ステンレス製の化粧プレート２３Ｃを脚板２３Ｐの外側にねじＳ２３で付設することにより、側方からの目線でもドレンパイプ３Ｂ及び排水パイプ３Ｃも隠蔽出来て、側面視でも、美観を備えたドレン機構が完成する。
【００５２】
得られる隠蔽暖冷房システムにあっては、暖房時には６０℃の温水を、冷房時には７℃の冷水を放熱器Ｈｅに循環流通させることにより、目隠し壁２４の上下ガラリ７Ａを介した暖房作用時の暖房空気流ａｒ１、及び冷房作用時の冷房空気流ａｒ２が室内と放熱器Ｈｅの配置域とを循環流出入して、室内を空気の自然対流循環で暖房、冷房すると共に、放熱器Ｈｅの放熱パネル１０１，１０２から放射される熱線は、間仕切壁ＷＡ表面の輻射熱反射層８Ｄによって全て目隠し壁２４方向への作用となり、内装材８Ａが熱線を吸収放射して室内を輻射熱で暖冷房し、静かで、穏やかで、人間に優しい暖冷房作用を発揮する。
【００５３】
そして、隠蔽冷房システムでの最大の問題点である結露対策も、放熱器Ｈｅの下側のドレンパン３Ａによるドレンで好適に処理出来、放熱器Ｈｅの配置域内での結露による湿潤作用も、上下ガラリ７Ａを介した空気対流によって抑制出来て、カビやダニの発生も無い、衛生的な隠蔽暖冷房システムとなる。
また、ドレン機構の目視点検、及びメンテナンスは、架台２３の化粧プレート２３Ｃの着脱で容易に実施出来る。
しかも、目隠し壁２４は、独立壁として目立つと共に、前面の、需要者の好みで選択した内装材８Ａの意匠効果によって、従来の室内暖冷房に対するイメージからは想像出来ない、目新しい、斬新なインテリアデザイン効果を発揮する。
【００５４】
〔変形例（図３（Ｃ））〕
目隠し壁２４は、暖冷房システムを隠蔽すると共に、インテリアデザイン性の向上を図るものであるため、図３（Ｂ）に示す、実施例に代えて、図３（Ｃ）の如く、内装材８Ａの中央部分を、障子枠２４ｂを介した紙障子２４Ｋとし、紙障子２４Ｋを内側から間接照明するための間接照明灯２４Ｅを骨組ＦＷの内面に付設すれば、斬新で幻想的な照明意匠が得られ、紙障子２４Ｋの選択交換によって、デザイン効果の多様化も期待出来る。
【００５５】
また、目隠し壁２４は、工場生産で、骨組ＦＷにガラリ７Ａの配置及び幅木８Ｂや装飾面材としての内装材８Ａの張設をして、完成品の目隠し壁２４を準備しておき、施工現場では床面ＦＬと天井面ＣＬ間に立設して、それ自体慣用のステンレス製アングル材を目隠し壁２４の前後に、下端は床材９Ａと目隠し壁２４の内装材８Ａ下端に配置して、ねじで下側横枠材６Ｐと根太６Ｅとに、上端は天井材１０及び目隠し壁内装材８Ａに当接して、ねじで上側横枠材６Ｐと天井野縁６Ｔとに固定することも可能であり、この場合、目隠し壁２４の立設の作業性が向上する。
【符号の説明】
【００５６】
１        ヘッダー
２Ａ      主管
２Ｂ      継手枝管
２Ｃ      縦パイプ
２Ｄ      連通パイプ
２Ｅ      スペーサーパイプ
２Ｆ，２Ｐ    閉止板
２Ｎ      接続金具
２Ｒ      排出口
２Ｓ      供給口
３Ａ      ドレンパン
３Ｂ      ドレンパイプ
３Ｃ      排水パイプ
３Ｄ      底辺
３Ｓ      斜辺
６Ｂ      間柱
６Ｅ      根太
６Ｋ      受桟
６Ｐ      横枠材
６Ｐ´    補強横桟
６Ｒ      窓台胴縁
６Ｒ´    まぐさ胴縁
６Ｓ      縦枠材
６Ｓ´    補強縦桟
６Ｔ      野縁
７Ａ      ガラリ
７Ｂ      羽根
８Ａ      内装材
８Ａ´    構造用合板
８Ｂ      幅木
８Ｄ      輻射熱反射層（アルミ箔）
８Ｍ      アルミ製見切
９Ａ      床材
９Ｂ      床用合板
１０      天井材
２１      保持金具
２１Ｃ    下辺
２１Ｆ    垂直辺
２１Ｍ    断熱シート
２１Ｒ    曲面当接片
２１Ｓ    垂直側辺
２３      架台
２３Ｃ    化粧プレート
２３Ｄ    補強桟
２３Ｐ    脚板
２３Ｔ    上板
２４      目隠し壁
２４ｂ    障子枠
２４Ｅ    電灯（間接照明灯）
２４Ｆ    縦縁
２４Ｋ    紙障子
１０１    第１放熱パネル
１０２    第２放熱パネル
ａｒ１    暖気流（暖房空気流）
ａｒ２    冷気流（冷房空気流）
ＣＬ      天井面
ＦＬ      床面
ＦＷ      骨組
Ｈｅ      放熱器
ｎ２１，ｎ２４    くぎ
ＮＣ      保温材
ＰＫ      パッキン材
Ｒ        リターン管（戻り管）
Ｓ        サプライ管（往き管）
Ｓ７，Ｓ２１，Ｓ２３    ねじ
ＷＡ      間仕切壁
【図１】
2011247500.tif 000003
【図２】
2011247500.tif 000004
【図３】
2011247500.tif 000005
【図４】
2011247500.tif 000006
【図５】
2011247500.tif 000007
【図６】
2011247500.tif 000008
【図７】
2011247500.tif 000009
【図８】
2011247500.tif 000010
【図９】
2011247500.tif 000011